(57)【特許請求の範囲】
【請求項１】
パイル糸を２．５〜４．０ｍｍの間隔をもって配列し、カーペットの長さ方向におけるパイル間の間隔を１．５〜３．５ｍｍとして基布にタフティングし、基布からの高さが２〜７ｍｍのパイルを形成したタフテッドパイル布帛の裏側に裏打層を積層し、パイル糸が隣り合うカーペットの横方向とカーペットの長さ方向に縦と横の方向を合わせて一辺の長さ（Ｒ）が３０〜６０ｃｍとなる正方形に裁断して成り、その周縁が縦横に一直線状に並ぶ格子状に周縁同士を突き合わせて床下地面に敷き詰めて施工するタイルカーペットにおいて；
（ａ）  タフテイング時に、外観の異なる６種類以上のパイル糸を使用して縦縞模様がパイル面に描出されており、
（ｂ）  その６種類以上のパイル糸が並んで構成する縦縞模様のリピート間隔（Ｌ）がタイルカーペットの縦横寸法（Ｒ）の非整数倍となる０．４倍以上であり、
（ｃ）  パイル糸が隣り合うカーペットの横方向の任意の位置を基準とし、タイルカーペットの縦横寸法（Ｒ）をもって、その６種類以上のパイル糸の配列を仕切るとき、その仕切られた各区画に含まれるパイル糸の合計本数の７０％以上のパイル糸が、他の区画に含まれるパイル糸と外観上の種類を共通しており、
（ｄ）  その区画と区画の間で共通するパイル糸の種類の数が６種類以上であることを特徴とするタイルカーペット。
【請求項２】
前掲請求項１に記載のタイルカーペットにおいて、何れかのパイル糸により高パイルと低パイルが選択的に形成されていることを特徴とする前掲請求項１に記載のタイルカーペット。
【請求項３】
前掲請求項１に記載のタイルカーペットにおいて、何れかのパイル糸によりカットパイルとループパイルが選択的に形成されていることを特徴とする前掲請求項１に記載のタイルカーペット。
【請求項４】
前掲請求項１に記載のタイルカーペットにおいて、高パイルと低パイルとのパイル長の差またはカットパイルとループパイルとのパイルの形態の差異によって、ニードルゲージ方向に続く横縞がパイル面に形成されており、その横縞の現れるリピート間隔（Ｔ）がタイルカーペットの縦横寸法（Ｒ）の非整数倍となる０．４倍以上であることを特徴とする前掲請求項１に記載のタイルカーペット。
【発明の詳細な説明】
【０００１】
【発明の属する技術分野】
本発明は、施工面に美観を表現するタイルカーペット施工法に関するものである。
【０００２】
【従来の技術】
タイルカーペットは、裏打層を厚く積層した広幅カーペットを正方形に裁断してつくられ、図７に示すように、床面に市松模様を描くように一枚ずつ縦横の向きを変えて敷き詰めて施工され、その仕上がった床面（以下、施工面と言う。）は、各タイルカーペットの周縁が縦横に真直ぐ揃って清楚な美観を呈する。しかし、タイルカーペットの縦横寸法に僅かなバラツキでもあれば、それを敷き詰めていくとき、そのバラツキが次第に大きなズレとなって現れ、敷き込まれたタイルカーペットの配列状態が不揃いになる。そのような不具合を回避するため、タイルカーペットの製造過程では、タイルカーペットの縦横寸法Ｒの管理が厳格になされる。
【０００３】
タイルカーペットには、パイル面が無模様一色の無地タイルカーペット、模様の繰り返しが看取されない霜降模様、杢模様、縞模様、斑点模様等の小模様タイルカーペット、花弁や葉茎等の図柄を放射状に描出した具象柄タイルカーペットがあるが、その縦横寸法Ｒのバラツキによる柄ズレを回避するため、ジグソーパズルの図柄のように、２枚のタイルカーペットの間で連続する図柄をパイル面に描出したタイルカーペットは、特別の注文がなければつくられず、一般には市販されていない。そして、具象柄タイルカーペットでも、その裁断寸法Ｒのバラツキによる柄ズレを回避するため、図柄の周囲を無地模様で縁取られており、その裁断過程では所定の縦横寸法Ｒより稍々広めに裁断、即ち粗切りし、その後、図柄の位置合わせをして周囲の余長分を裁断除去して規格通りの裁断寸法Ｒに仕上げる二度切りを行っており、その図柄の位置合わせには細心の注意が払われる。
【０００４】
従って、柄ズレや縦横寸法Ｒについての厳格な管理が要求される割には格別付加価値を生じない市松模様やストライプ模様、格子模様のように一定のリピートをもつ連続した幾何学模様は、タイルカーペットには採用されない。このような訳で、市販の殆ど全てのタイルカーペットは、柄ズレの問題の起きない無難な無地タイルカーペットと小模様タイルカーペットで占められている。
【０００５】
【発明が解決しようとする課題】
無地タイルカーペットや小模様タイルカーペットの敷き詰められた施工面は、図７に示すように、その床面に配列されたタイルカーペット１１の周縁１２に縦横に一直線状に揃って整然とした清楚な美観を呈する。しかし、施工される殆ど全てのタイルカーペットが無地タイルカーペットか小模様タイルカーペットであり、パイル面の色調や小模様に多少の相異があるとしてもデザイン的に格別新規なものはなく、その施工面からは格別な美観は看取されない。このため、周縁が縦横に一直線状に揃って整然とした施工面は、管理下で人為的に一直線状に揃えられていると言う印象を与え、時として管理下にあるが如く束縛された堅苦しい印象さえも与える。
【０００６】
【発明の目的】
そこで本発明は、タイルカーペットの施工面を、美的に自然で変化に富み、躍動感や安らぎを与えるものにすることを目的とする。
【０００７】
【課題を解決するための手段】
本発明は、パイル糸Ａ〜Ｇを２．５〜４．０ｍｍの間隔（ニードルゲージ）Ｐをもって配列し、カーペットの長さ方向におけるパイル間の間隔を１．５〜３．５ｍｍとして基布にタフティングし、基布からの高さ（パイル厚）が２〜７ｍｍのパイル１４を形成したタフテッドパイル布帛１５の裏側に裏打層１６を積層し、パイル糸が隣り合うカーペットの横方向Ｎとカーペットの長さ方向Ｓに縦と横の方向を合わせて一辺の長さＲが３０〜６０ｃｍとなる正方形に裁断して成るタイルカーペット１１を、その周縁１２が縦横に一直線状に並ぶ格子状に周縁同士を突き合わせて床下地面に敷き詰めて施工するタイルカーペットにおいて；（ａ）  タフテイング時に、繊維素材、色彩、単糸繊度、撚り数、撚り方向、繊維総本数、単糸本数、繊維の捲縮率等の相異に起因して外観の異なる６種類以上のパイル糸Ａ〜Ｇを使用して縦縞模様がパイル面に描出されており、（ｂ）  その６種類以上のパイル糸Ａ〜Ｇが並んで構成する縦縞模様のリピート間隔Ｌがタイルカーペット１１の縦横寸法Ｒの非整数倍となる０．４倍以上であり、（ｃ）  パイル糸が隣り合うカーペットの横方向Ｎの任意の位置を基準とし、タイルカーペット１１の縦横寸法Ｒをもって、その６種類以上のパイル糸Ａ〜Ｇの配列を仕切るとき、その仕切られた各区画Ｈ1 （Ｈ2 ・Ｈ3 ・Ｈ4 ………）に含まれるパイル糸の合計本数の７０％以上のパイル糸が、他の区画Ｈ2 （Ｈ3 ・Ｈ4 ………）に含まれるパイル糸と外観上の種類を共通しており、（ｄ）その区画Ｈ1 と区画Ｈ2 （Ｈ3 ・Ｈ4 ………）の間で共通するパイル糸の種類の数が６種類以上であることを第１の特徴とする。
【０００８】
本発明の第２の特徴は、上記第１の特徴に加え、何れかのパイル糸により高パイルと低パイルを選択的に形成したことにある。
【０００９】
本発明の第３の特徴は、上記第１と第２の何れかの特徴に加え、何れかのパイル糸によりカットパイルとループパイルを選択的に形成したことにある。。
【００１０】
本発明の第４の特徴は、上記第１と第２と第３の何かの特徴に加え、高パイルと低パイルとのパイル長の差またはカットパイルとループパイルとのパイルの形態の差異によって、ニードルゲージ方向Ｎに続く横縞１７をパイル面に形成し、その横縞１７の現れるリピート間隔Ｔをタイルカーペット１１の縦横寸法Ｒの非整数倍となる０．４倍以上にしたことにある。
【００１１】
【発明の実施の形態】
本発明において、『非整数倍となる０．４倍以上』或いは『非整数倍となる０．６倍以上』とは、０．４倍以上であっても、タイルカーペット１１の縦横寸法Ｒが縦縞模様のリピート間隔Ｌの２倍になったり、タイルカーペット１１の縦横寸法Ｒが縦縞模様のリピート間隔Ｌと同じになったり、縦縞模様のリピート間隔Ｌがタイルカーペット１１の縦横寸法Ｒの２倍、３倍、４倍………と整数倍になり、製造過程で裁断されてパイル糸が隣り合うカーペットの横方向Ｎに並ぶ複数枚のタイルカーペットの中に、６種類以上のパイル糸Ａ〜Ｇの配列順序（縦縞模様）が一致したタイルカーペットが現れることがないことを意味する。図６は、色彩が異なるパイル糸Ａ、パイル糸Ｂ、パイル糸Ｃ、パイル糸Ｄ、パイル糸Ｅ、パイル糸Ｆ、パイル糸Ｇの合計７種類のパイル糸を基布１３にタフテイングしてパイル１４を形成したタフテッドパイル布帛１５の斜視図であり、その７種類のパイル糸Ａ〜Ｇが無規則に配列されている状態を示す。図６に示すように本発明では外観の異なる６種類以上のパイル糸Ａ〜Ｇを使用するので、図１に示すように、縦縞模様がパイル面に形成されることになるが、その６種類以上のパイル糸Ａ〜Ｇが並んで構成する縦縞模様のリピート間隔Ｌをタイルカーペット１１の縦横寸法Ｒの非整数倍となる０．６倍以上にすると、図１に示すように、製造過程で裁断されてパイル糸が隣り合うカーペットの横方向Ｎに並ぶ複数枚のタイルカーペットの縦縞模様（１８）に、そのリピート間隔Ｌとタイルカーペットの縦横寸法Ｒとの不一致による柄ズレが起き、それら複数枚のタイルカーペットの縦縞模様がそれぞれ異なるものとなり、又、各タイルカーペットの縦縞１８（パイル糸Ａ〜Ｇ）の配列順序に規則性（リピート）のないランダム縦縞模様となる。
【００１２】
縦縞模様を構成する何れかのパイル糸によって長短差が３ｍｍ以上となる高パイルと低パイルを選択的に形成し、或いは、何れかのパイル糸によってカットパイルとループパイルを選択的に形成するとき、その高パイルと低パイル或いはカットパイルとループパイルとのパイルの形態の差異による外観上の相異が生じ、結果的にはパイル糸の種類の数を増やした同じことになり、そのパイルの形態の差異によってパイル面が美的変化に富むものになり、縦縞１８（パイル糸Ａ〜Ｇ）の配列順序に規則性（リピート）のない極めてランダムな縦縞模様が描出される。当然のことながら、タフテッドパイル布帛１５のパイル糸が隣り合うカーペットの横方向Ｎにおける寸法（タフテイング幅ないし横幅）は、タイルカーペットの縦横寸法Ｒの２倍以上とし、タイルカーペット１１がパイル糸の隣り合うカーペットの横方向Ｎに２枚以上並んでつくられるようにする。一般に、タイルカーペットは、縦横寸法Ｒを５０ｃｍに設定し、有効幅が２００ｃｍのタフテッドパイル布帛１５に裏打層１６を積層したカーペットを裁断してつくられ（図１）、その十数枚を１セットに梱包しているので、本発明のタイルカーペットは、パイル糸の隣り合うカーペットの横方向Ｎに並んで裁断される縦縞模様の異なる数種類のタイルカーペットを十数枚１セットに梱包され、その梱包を解いて順次施工されることになる。図２は、その４種類のタイルカーペットを、前後左右において隣合うタイルカーペットに対してパイル糸の隣り合うカーペットの横方向Ｎとカーペットの長さ方向Ｓを９０度変えて格子状に周縁同士を突き合わせて床下地面に敷き詰めた施工面を示す。図３は、その４種類のタイルカーペットを、前後左右において隣合うタイルカーペットに対してパイル糸の隣り合うカーペットの横方向Ｎとカーペットの長さ方向Ｓを同じ方向に揃えて格子状に周縁同士を突き合わせて床下地面に敷き詰めた施工面を示す。
【００１３】
高パイルと低パイルとのパイル長の差、或いは、カットパイルとループパイルとのパイルの形態の差異によってパイル糸の隣り合うカーペットの横方向Ｎに続く横縞１７をパイル面に形成し、その横縞１７の現れるリピート間隔Ｔをタイルカーペット１１の縦横寸法Ｒの０．４倍以上、好ましくは非整数倍となる０．７〜１．８倍、更に好ましくは非整数倍となる０．８〜１．４倍にするとき、その横縞１７の現れる位置が、裁断されてカーペットの長さ方向Ｓに複数枚のタイルカーペットのそれぞれにおいて異なることになるので、その裁断された殆ど全てのタイルカーペットが、横縞１７や縦縞１８の配置の相異によって外観の異なるものとなる。横縞１７を帯状に形成する場合、その帯状を成す横縞１７の幅Ｗは、タイルカーペット１１の縦横寸法Ｒよりも狭く、好ましくはタイルカーペット１１の縦横寸法Ｒの半分以下にする。しかし、その帯状横縞１７と帯状横縞１７に挟まれる縦縞状部分の幅Ｖは、タイルカーペット１１の縦横寸法Ｒより広くてもよい。そうすると、タイルカーペットを大きく分けて縦縞１８だけが現れるタイルカーペットと横縞１７と縦縞１８が現れるタイルカーペットの２種類になる。図４は、図１に示す有効幅が２００ｃｍのタフテッドパイル布帛に７８ｃｍのリピート間隔Ｔをもって幅Ｗが２０ｃｍの帯状横縞１７を描出したタフテッドパイル布帛１５を図示し、図５は、そのタフテッドパイル布帛１５を使用したタイルカーペットを前後左右においてパイル糸の隣り合うカーペットの横方向Ｎとカーペットの長さ方向Ｓを９０度変えて格子状に周縁同士を突き合わせて床下地面に敷き詰めた施工面を示す。
【００１４】
図５が示すように、縦縞模様と横縞模様による外観が異なっていても、各タイルカーペットは、縦横寸法Ｒが同じであり、６種類以上の色彩の異なる縞筋が無規則に並んだ縦縞模様を有し、７０％以上のパイル糸が外観を同じくするものであり、パイル面の色調を同じくする。このため、縦縞模様の細部においてパイル糸Ａ〜Ｇの配列に相異があっても一見しただけでは判然とせず、その外観の異なるタイルカーペットを周縁同士を突き合わせて施工しても、銘柄やロットの異なるタイルカーペットが混在しているとの印象を与えない。
【００１５】
一般に、複数のカーペット販売会社の領布するそれぞれのカーペット見本帳の中に、色彩が全く同じのパイル糸が使用されており、ただ模様の構図だけが異なる見本片（カーペットの裁断片）が貼付されている場合、その見本片を見比べただけでは、その見本片が何れの販売会社の商品（カーペット）から切り取られのか、その見本片の表示する商品（カーペット）を特定することが出来ず、商品の出所につき彼是混同が生じる。それと同じように、本発明において外観の異なるタイルカーペットが格子模様状に整然と施工されていても、銘柄やロットの異なるタイルカーペットが混在しているとの印象を与えず、同一銘柄の同一ロットのタイルカーペットが施工されているとの印象を与えることになる。
【００１６】
特に、６種類以上の何れか同種類のパイル糸が３列以上のステッチ列にわたって連続して隣合わず、且つ、６種類以上のパイル糸Ａ〜Ｇの中の何れか２種類のパイル糸が１０列以上のステッチ列において交互隣合って並ぶことがないように、即ち、縦縞模様のリピート間隔Ｌに含まれる何れか１０列以上の配列部分と他の何れか１０列以上の配列部分の間で、それら配列部分に含まれる各種類のパイル糸の配列順序が異なり、且つ、その１０列以上の何れの配列部分においても同種類のパイル糸が隣合って並ばないように６種類以上のパイル糸を配列すると、施工されて隣合うタイルカーペットとタイルカーペットの間の継ぎ目１９が、縦縞模様の一部の縞筋の如き観を呈し、その縦縞模様に埋もれて目立たなくなる。このため、施工面はタイルカーペットが継ぎ目なく連続しているかの如き観を呈し、そのような施工面からは、タイルカーペットの周縁を注意深く一直線状に揃えて施工したと言う人為的痕跡は看取し難く、縦縞模様に規則性がないことと相俟って、自由に解放されたかの如き安堵感や躍動感さえも感じられるようになる。
【００１７】
このような美的効果は、縦縞模様の無規則性と、各タイルカーペットの色調の共通性に起因する視覚上の効果であるが、その効果を高めるためには、（１）
パイル糸Ａ〜Ｇの種類を１０種類以上と限りなく多くし、（２）  ６種類以上の何れか同種類のパイル糸（Ｂ）が３列以上のステッチ列にわたって連続して隣合うことなくそれら６種類以上のパイル糸Ａ〜Ｇを配列し、（３）  タイルカーペットの縦横寸法Ｒによって仕切られるパイル糸の配列の各区画Ｈ1 ・Ｈ2 ・Ｈ3 ・Ｈ4 ………に共通して含まれるパイル糸の種類を１０種類以上と限りなく多くする。
【００１８】
更に好ましくは、（４）  その区画内Ｈ1 （Ｈ2 ・Ｈ3 ・Ｈ4 ………）において、タイルカーペットの縦横寸法Ｒの１０分の１以上のパイル糸の隣り合うカーペットの横方向Ｎにおける間隔内Ｋに含まれる数種類のパイル糸の配列によって構成される帯状縞２０と、パイル糸の種類と配列順序を同じとする同じ帯状縞２０が３条以上形成されないようにする。即ち、区画内に外観を同じとする広い帯状縞２０を形成するとしても、その数を２条迄とし、その広い帯状縞２０によってタイルカーペットの外観が特徴づけられることがないように、つまり、裁断されてパイル糸の隣り合うカーペットの横方向Ｎに並ぶ複数枚のタイルカーペットに縦縞模様が近似しないようにする。
【００１９】
更に好ましくは、（５）  その何れかの区画内Ｈ1 と他の何れかの区画Ｈ2 （Ｈ3 ・Ｈ4 ………）の間において共通する１０種類以上のパイル糸の中の少なくとも５種類の各パイル糸の本数の各区画間Ｈ1 とＨ2 （Ｈ3 ・Ｈ4 ………）における変動率を５０％以上にする。即ち、任意の種類のパイル糸の最も多く含まれる何れかの区画Ｈ1 におけるパイル糸の本数を１００本とした場合、その同種類のパイル糸の最も少なく含まれる何れか区画Ｈ2 （Ｈ3 ・Ｈ4 ………）における本数を５０本以上にする。
【００２０】
更に好ましくは、（６）  ６種類以上のパイル糸Ａ〜Ｇが並んで構成する縦縞模様のリピート間隔Ｌを、タイルカーペット１１の縦横寸法Ｒの非整数倍となる０．８〜１．４倍、又は、タイルカーペット１１の縦横寸法Ｒの非整数倍となる２．１倍以上、或いは３．１倍以上と限りなく大きくする。極端に言えば、縦縞模様のリピート間隔Ｌをタフテッドパイル布帛１５のタフテイング幅（横幅）以上にし、パイル糸の配列順序を無リピート（繰り返し無し）にする。同様に、（７）  パイル長の差やパイルの形態の差によって描出される横縞１７の現れるリピート間隔Ｔも、タイルカーペット１１の縦横寸法Ｒの非整数倍となる０．８〜１．４倍、又は、タイルカーペットの縦横寸法Ｒの非整数倍となる２．１倍以上、或いは３．１倍以上と限りなく大きくする。極端に言えば、タフテッドパイル布帛１５の全長にわたって描出される横縞模様を繰り返しのない無リピートする。
【００２１】
更に好ましくは、前記の通り、（８）  ６種類以上のパイル糸Ａ〜Ｇの中の何れか２種類のパイル糸（Ｃ・Ｅ）が１０列以上のステッチ列において交互隣合って並ぶことなくそれら６種類以上のパイル糸Ａ〜Ｇを配列し、又、（８）  縦縞模様のリピート間隔Ｌに含まれる何れか１０列以上の配列部分と他の何れか１０列以上の配列部分の間で、それら配列部分に含まれる各種類のパイル糸の配列順序が異なり、且つ、その１０列以上の何れの配列部分においても同種類のパイル糸が隣合って並ばないように６種類以上のパイル糸を配列する。
【００２２】
更に好ましくは、（１０）  タイルカーペット１１の縦横寸法Ｒで仕切られるパイル糸Ａ〜Ｇの配列の各区画Ｈ1 （Ｈ2 ・Ｈ3 ・Ｈ4 ………）に含まれるパイル糸の合計本数の８０％以上、好ましくは９０％以上のパイル糸が、他の区画Ｈ2 （Ｈ3 ・Ｈ4 ………）に含まれるパイル糸と種類を共通にするものとする。
【００２３】
パイル長の差、即ち、高パイルと低パイルは、基布１３に差し込まれるパイル糸Ａ〜Ｇの供給量（テンション）をステッチサイクル毎に選択的に変えて選択的に形成することが出来る。従って、タフテッド機においてパイル糸Ａ〜Ｇを基布１３に送り出すフィードロールの回転速度をステッチサイクル毎に選択的に変えることとし、その変える周期を任意に設定して横縞１７の現れるリピートＴを加減し、その周期を不規則に設定することによって無リピートの横縞模様（１７）をパイル面に描出する。パイル面にハッキリした横縞模様（１７）が看取されるようにするには、高パイルと低パイルのパイル長の差を２ｍｍ以上にする。しかし、高パイルと低パイルのパイル長の差は２ｍｍ以下であってもよい。そのようにパイル長の差を２ｍｍ以下にするとき、高パイルと低パイルによってパイル面に輪郭がハッキリした図柄を描出することが出来ないが、特に、一定の輪郭のある図柄を描出することを目的とせず、高パイルと低パイルをランダムに形成すると、パイル糸の外観上の相異によってではなく、高パイルと低パイルの間に生じる僅かな陰影の差によってパイル面の色調に深みを付与することが出来る。従って、高パイルと低パイルのパイル長の差を２ｍｍ以上にする必要は必ずしもない。又、高パイル、中パイル、低パイル………と、パイル長の差による数種類のパイルを形成することも出来る。
【００２４】
パイルの形態の差、即ち、カットパイルとループパイルは、タフテッド機において基布１３に差し込まれたパイル糸Ａ〜Ｇを捕捉するルーパーから、その捕捉したパイル糸Ａ〜Ｇを直ちに外すか捕捉し続けるか否かをステッチサイクル毎に決定して択一的に形成することが出来る。そのためには、ステッチサイクル毎にパイル糸が外れる方向にルーパーを選択的に移動し、或いは、パイル糸を外す部材をルーパーに選択的に作用させる。その操作の周期を任意に設定して横縞１７の現れるリピートＴを加減し、その周期を不規則に設定することによって無リピートの横縞模様（１７）をパイル面に描出することが出来る。その場合、基布１３に差し込まれるパイル糸Ａ〜Ｇの供給量（テンション）をステッチサイクル毎に選択的に変えてカットパイルとループパイルの間にパイル長の差をつけることも出来る。
【００２５】
パイル面に描出される縦縞模様（１８）は、各ステッチ列毎に外観の異なるパイル糸Ａ〜Ｇを配列したことによるものであるが、そのパイル糸の外観の相異は、前記の通り、パイル糸を構成する繊維素材、色彩、単糸繊度、撚り数、撚り方向、繊維総本数、単糸本数、繊維の捲縮率等の何れの相異に起因するものでもよい。しかし、縦縞模様の美観を整えるには、合成繊維に成るパイル糸ではその合成繊維の紡糸時、即ち、原着時に繊維素材に配合される顔料を変え、或いは、繊維の染色に使用する染料を変え、好ましくは補色となる反対色を含まない同系色の色彩の異なる異彩色のパイル糸を使用する。外観の相異するパイル糸には、部分的に異色に染色されたスペースダイ糸や、色彩の異なる数種類の単糸を引き揃え、或いは、合撚した異色混合糸を使用することも出来る。そのようなスペースダイ糸や異色混合糸を使用すると、パイル長やパイルの形態（カットパイルとループパイル）が同じであってもパイル長やパイルの形態が変化しているかの如き観を呈し、縦縞模様（１８）や横縞模様（１７）が一層変化に富んだものとなる。撚り方向の相異する合撚糸を混用する場合、その合撚糸は、色彩の異なる単糸によって構成された異色混合糸とするとよい。そのように撚り方向の相異する２種類の異色合撚糸では、その２種類の中の１種類のパイル糸の色彩が斑点状に規則的にパイル面に現れる一方、他の１種類のパイル糸にはタフテイング時にニードルの糸通孔に擦られて解撚トルクが作用し、撚り斑が周期的に発生し、その色彩の異なる単糸が引き揃えられているかのように長く筋状に続く部分と、解撚トルクが蓄積して斑点状に続く部分が交互に周期的に現れ、そのパイル糸のステッチ列が杢模様調になり、縦縞模様（１８）が一層変化に富んだものとなる。
【００２６】
【発明の効果】
本発明（請求項１）によると、従来同様に前後左右において隣合うタイルカーペットに対してパイル糸の隣り合うカーペットの横方向Ｎとカーペットの長さ方向Ｓを９０度変えて市松模様状に敷き詰めても、図２に示すように、タイルカーペットとタイルカーペットの間の継ぎ目１９が縦縞模様に埋もれて目立たず、周縁を注意深く一直線状に揃えてタイルカーペットを施工したと言う人為的痕跡は看取し難くなり、その結果、堅苦しさを感じさせず、自然で人為的束縛から解放されたかの如き解放感が施工面に感じられるようになる。
【００２７】
そして、パイル糸の隣り合うカーペットの横方向Ｎとカーペットの長さ方向Ｓを同じ方向に揃えて格子模様状に敷き詰めても、図３に示すように、縦縞１８がカーペットの長さ方向Ｓを真っ直ぐ連続することはなく、縦縞模様（１８）が、パイル糸の隣り合うカーペットの横方向Ｎに真っ直ぐ連続した継ぎ目１９に分断され、そのパイル糸の隣り合うカーペットの横方向Ｎに真っ直ぐ連続した継ぎ目１９に区切られてタイルカーペット１１の縦横寸法Ｒと同じリピートの帯状横縞模様の一部を成すが如き観を呈する一方、カーペットの長さ方向Ｓの周縁（１２）に沿って真っ直ぐ連続して現れるべき継ぎ目（１９）は、パイル糸の隣り合うカーペットの横方向Ｎに真っ直ぐ連続した継ぎ目１９に区切られる帯状横縞模様に埋もれて、前後左右のタイルカーペットとタイルカーペットの間の継ぎ目１９が一層目立ち難く、又、パイル糸の隣り合うカーペットの横方向Ｎとカーペットの長さ方向Ｓを同じ方向に揃えて施工する場合において、パイル糸の隣り合うカーペットの横方向Ｎにおける縦縞模様（１８）の前後の向きを見誤って施工しても、パイルの方向性（パイルの傾き具合の僅かな相異）に起因する濃淡差が隣合うタイルカーペット間に生じて違和感を呈することもなくなる。
【００２８】
特に、外観の異なる６種類以上の全てのパイル糸Ａ〜Ｇを同系色にするとタイルカーペット間での色調の共通性が高まり、施工面からは落着いた安らぎが感じられるようになり、その落着きのある雰囲気の中にも変化に富んだ美観を施工面に表現することが出来る。
【００２９】
又、縦縞模様のリピート間隔Ｌをタイルカーペット１１の縦横寸法Ｒの非整数倍となる０．６倍以上にすると、そのリピート間隔Ｌが縦横寸法以下（０．６Ｒ≦Ｌ＜Ｒ）の場合でもリピート間隔Ｌ内の１列にしか現れないパイル糸がタイルカーペット１１の表面に介在することになるので、タフテイング時に本来痕欠点として回避されるべきパイル糸のロットの誤認やパイル糸の太さの斑や染色斑によって一部のステッチ列にランダムに生じた外観上のバラツキも痕欠点としては看取されず、却って、外観の異なるパイル糸の種類を増やしたと同様の美的効果を生じ、施工面が一層変化に富んだ美しいものとなり、又、タフテイング時の製品（タフテッドパイル布帛）の歩留りも向上する。
【００３０】
本発明（請求項２と請求項３）によると、一列おき、或いは、数列おきとなる一部のステッチ列で高パイルと低パイルを選択的に形成し、或いは、カットパイルとループパイルを選択的に形成しても、そのステッチ列のパイルの外観が途切れ途切れに変化し、色彩の異なるパイル糸が配列されているかの如き観を呈し、施工面が一層変化に富んだ美しいものとなる。
【００３１】
特に、縦縞模様のリピート間隔Ｌをタイルカーペット１１の縦横寸法Ｒの非整数倍となる０．６倍以上にすると、そのリピート間隔Ｌが縦横寸法以下（０．６Ｒ≦Ｌ＜Ｒ）の場合でもリピート間隔Ｌ内の１列にしか現れないパイル糸がタイルカーペット１１の表面に介在することになるので、タフテイング時に本来痕欠点として回避されるべきパイル糸のロットの誤認やパイル糸の太さの斑や染色斑に加え、パイル糸の供給量やテンションの斑によって一部のステッチ列に高パイルと低パイル、或いは、カットパイルとループパイルがランダムに生じても外観上のバラツキも痕欠点としては看取されず、タフテイング時の製品（タフテッドパイル布帛）の歩留りが一層向上する。
【００３２】
本発明（請求項４）によると、一枚のタイルカーペットの中に縦縞１８と横縞１７が交叉した格子模様が形成されることにもなり、特に、横縞１７をタイルカーペット１１の縦横寸法Ｒよりも狭い幅Ｗの帯状横縞とし、その帯状横縞１７と帯状横縞１７に挟まれる部分の幅Ｖをタイルカーペット１１の縦横寸法Ｒよりも広くすると、大別して縦縞１８だけが現れたタイルカーペットと横縞１７と縦縞１８が現れたタイルカーペットとの２種類のタイルカーペットが出来、格子模様状に並んだ施工面の一部に、タイルカーペット１１の縦横寸法Ｒよりも小さいタイルカーペットがスポット的に、且つ、ランダムに配置されているかの如き観を呈し、タイルカーペットの配列状態が極自然で躍動感さえも感じられ、施工面が一層美的変化に富んだものとなる。
【図面の簡単な説明】
【図１】  本発明に係るタフテッドパイル布帛の斜視図である。
【図２】  本発明に係るタイルカーペットの施工面の斜視図である。
【図３】  本発明に係るタイルカーペットの施工面の斜視図である。
【図４】  本発明に係るタフテッドパイル布帛の斜視図である。
【図５】  本発明に係るタイルカーペットの施工面の斜視図である。
【図６】  本発明に係るタフテッドパイル布帛の斜視図である。
【図７】  従来のタイルカーペットの施工面の斜視図である。
【符号の説明】
１１  タイルカーペット
１２  周縁
１３  基布
１４  パイル
１５  タフテッドパイル布帛
１６  裏打層
１７  横縞（横縞模様）
１８  縦縞（縦縞模様）
１９  継ぎ目
２０  帯状縞
Ａ・Ｂ・Ｃ・Ｄ・Ｅ・Ｆ・Ｇ    パイル糸
Ｈ    区画
Ｋ    間隔
Ｌ    縦縞模様のリピート
Ｎ    パイル糸が隣り合うカーペットの横方向
Ｐ    カーペットの横方向におけるパイル間の間隔
Ｑ    カーペットの長さ方向におけるパイル間の間隔
Ｒ    タイルカーペットの縦横寸法
Ｓ    カーペットの長さ方向
Ｔ    横縞模様のレピード
Ｖ・Ｗ  幅
【図１】
0003928176.tif 000002
【図２】
0003928176.tif 000003
【図３】
0003928176.tif 000004
【図４】
0003928176.tif 000005
【図５】
0003928176.tif 000006
【図６】
0003928176.tif 000007
【図７】
0003928176.tif 000008